(57)【要約】【課題】本発明は、装着時において誤操作が行われた場合でも、ヘッドホンコードの巻取動作を阻止し、ヘッドホンコードのプラグと外部機器との接続状態を保持し得るようにする。【解決手段】本発明は、左側ヘッドホンユニット１３のハウジング１３Ａに内蔵され、ヘッドホンコード３１をハウジング１３の内部に巻取るように付勢した状態で、ヘッドホンコード３１の巻取りを阻止すると共にハウジング１３Ａからの引き出しを許容するヘッドホンコード巻取阻止機構５０と、当該ヘッドホンコード巻取阻止機構５０によるヘッドホンコード３１の巻取阻止状態を解除する巻取阻止状態解除機構６０を有し、ヘッドホン装置１の装着時に、付勢力に抗して左側ヘッドホンユニット１３が耳殻から離れる接離方向へ回動されている間、巻取阻止状態を解除しないようにする巻取阻止状態解除制御機構７０を設けるようにする。【選択図】図１４
2009055251.tif 000002
【特許請求の範囲】
【請求項１】
ヘッドバンドが後頭部を通る装着方式のヘッドホン装置であって、
上記ヘッドバンドの両先端側に取り付けられた左側ヘッドホンユニット及び右側ヘッドホンユニットからなる１対のヘッドホンユニットと、
上記左側ヘッドホンユニット及び上記右側ヘッドホンユニットを耳殻に近付く又は離れる接離方向へ回動自在に連結した連結手段と、
上記左側ヘッドホンユニット及び上記右側ヘッドホンユニットを上記耳殻に近付ける上記接離方向へ所定の付勢力により付勢する付勢手段と、
上記左側ヘッドホンユニット又は上記右側ヘッドホンユニットの何れか一方に接続されたヘッドホンコードと、
上記左側ヘッドホンユニット又は上記右側ヘッドホンユニットの何れか一方のハウジングに内蔵され、上記ヘッドホンコードを上記ハウジングの内部に巻取るように付勢した巻取手段と、
上記巻取手段と連動し、上記ヘッドホンコードの巻取りを阻止すると共に上記ハウジングからの引き出しを許容するヘッドホンコード巻取阻止手段と、
上記ヘッドホンコード巻取阻止手段による上記ヘッドホンコードの巻取阻止状態を解除する所定の解除機構を有し、上記ヘッドホン装置の装着時に、上記付勢力に抗して上記巻取手段が内蔵された上記左側ヘッドホンユニット又は上記右側ヘッドホンユニットが上記耳殻から離れる上記接離方向へ回動されている間、上記解除機構により上記巻取阻止状態を解除しないようにする解除制限手段と
を具えることを特徴とするヘッドホン装置。
【請求項２】
上記ヘッドバンドは、その中央で内側に折曲可能な中央支軸が設けられている
ことを特徴とする請求項１に記載のヘッドホン装置。
【請求項３】
上記ヘッドバンドは、その途中に設けられた中途支軸により折曲可能な左側耳掛けハンガー及び右側耳掛けハンガーと一体化されている
ことを特徴とする請求項２に記載のヘッドホン装置。
【請求項４】
上記左側ヘッドホンユニット及び上記右側ヘッドホンユニットは、上記ヘッドバンドが上記中央支軸で折り曲げられ、かつ上記左側耳掛けハンガー及び上記右側耳掛けハンガーが上記中途支軸で折り曲げられたとき、当該左側ヘッドホンユニット及び当該右側ヘッドホンユニットにおけるそれぞれのイヤーパッドの全面が互いに対向した状態で面接触される
ことを特徴とする請求項１に記載のヘッドホン装置。
【請求項５】
上記左側ヘッドホンユニット及び上記右側ヘッドホンユニットは、多孔性弾性体がパッドカバーにより覆われた構造のイヤーパッドが取り付けられている
ことを特徴とする請求項１に記載のヘッドホン装置。
【請求項６】
上記イヤーパッドは、上記多孔性弾性体の反撥弾性が２０％以下の低反撥である
ことを特徴とする請求項５に記載のヘッドホン装置。
【請求項７】
上記多孔性弾性体は、低反撥ウレタンフォームでなり、その中央部分に穴が空けられたドーナッツ形状に形成されている
ことを特徴とする請求項６に記載のヘッドホン装置。
【請求項８】
上記パッドカバーは、連続気泡処理が施されたポリウレタンフォームと布材とからなり、ユーザの耳殻と当接する前面側に上記布材が配置されている
ことを特徴とする請求項５に記載のヘッドホン装置。
【請求項９】
上記パッドカバーは、上記多孔性弾性体が当該パッドカバーの内側で熱溶着されている
ことを特徴とする請求項５に記載のヘッドホン装置。
【発明の詳細な説明】
【技術分野】
【０００１】
本発明は、ヘッドホン装置に関し、例えば例えば携帯型音楽プレーヤに接続して用いられるヘッドホン装置に適用して好適なものである。
【背景技術】
【０００２】
近年、若者を中心とした個性化の時代が進むに連れ、いつでもどこでも音楽を聴きたいという要求は更に強くなっている。そうしたなかでバンドがユーザの後頭部を通る装着方式のステレオヘッドホンがヘアスタイルやファッションを気にする人々にも広く受け入れられつつある（例えば、特許文献１及び特許文献２参照）。
【０００３】
例えば図１に示すように、従来のバンドが後頭部を通る装着方式のステレオヘッドホン（以下、これを単にヘッドホン装置と呼ぶ。）１では、１対の左側ヘッドホンユニット２及び右側ヘッドホンユニット３とユーザの後頭部を通過する構造のバンド部４とが取り付けられた構成を有している。
【０００４】
このヘッドホン装置１では、バンド部４の弾性力を利用してユーザの頭部に装着するシンプルで軽快な構成であり、耳の形状に個人差がある中でリスニングが長時間化すると、左側ヘッドホンユニット２及び右側ヘッドホンユニット３が耳の形状に合わない場合に装着感が悪化することがあった。
【０００５】
特に、ヘッドホン装置１では、ユーザが持ち歩いたり、アウトドアで使用されることを考慮すると、小型化の要請のため折畳み機能も当然に求められ、一段とコンパクト化されたものが好まれている。
【０００６】
また、電源や音声信号を伝達するためのヘッドホンコードを有する製品においては、携帯・収納時のコードの絡み防止を主目的として、ヘッドホンコードを巻き取るための巻取機構がハウジング内に備え付けられていることも珍しくなくなりつつある。
【特許文献１】特開2006-109511公報
【特許文献２】特開平11-298982号公報
【発明の開示】
【発明が解決しようとする課題】
【０００７】
ところでかかる構成のヘッドホン装置１においては、ヘッドホンコードを引き伸ばした状態で外部の携帯型音楽プレーヤに当該ヘッドホンコードのプラグを接続させているが、ハウジングに設けられた巻取ボタンが誤って押下操作された場合、ユーザの意思とは無関係にヘッドホンコードの巻取動作が行われてしまう。
【０００８】
これによりヘッドホン装置１は、外部の携帯型音楽プレーヤとヘッドホンコードのプラグとの接続状態が強制的に解除されてしまい、ユーザにとっては、突然、携帯型音楽プレーヤから音楽コンテンツの供給が途絶えて聞けなくなってしまうという問題があった。
【０００９】
本発明は以上の点を考慮してなされたもので、従来よりも使い勝手が良く優位性の高いヘッドホンを提案しようとするものである。
【課題を解決するための手段】
【００１０】
かかる課題を解決するため本発明においては、ヘッドバンドが後頭部を通る装着方式のヘッドホン装置であって、ヘッドバンドの両先端側に取り付けられた左側ヘッドホンユニット及び右側ヘッドホンユニットからなる１対のヘッドホンユニットと、左側ヘッドホンユニット及び右側ヘッドホンユニットを耳殻に近付く又は離れる接離方向へ回動自在に連結した連結手段と、左側ヘッドホンユニット及び右側ヘッドホンユニットを耳殻に近付ける接離方向へ所定の付勢力により付勢する付勢手段と、左側ヘッドホンユニット又は右側ヘッドホンユニットの何れか一方に接続されたヘッドホンコードと、左側ヘッドホンユニット又は右側ヘッドホンユニットの何れか一方のハウジングに内蔵され、ヘッドホンコードをハウジングの内部に巻取るように付勢した巻取手段と、当該巻取手段と連動し、ヘッドホンコードの巻取りを阻止すると共にハウジングからの引き出しを許容するヘッドホンコード巻取阻止手段と、当該ヘッドホンコード巻取阻止手段によるヘッドホンコードの巻取阻止状態を解除する所定の解除機構を有し、ヘッドホン装置の装着時に、付勢力に抗して巻取手段が内蔵された左側ヘッドホンユニット又は右側ヘッドホンユニットが耳殻から離れる接離方向へ回動されている間、解除機構により巻取阻止状態を解除しないようにする解除制限手段とを設けるようにする。
【００１１】
これにより、ヘッドホン装置の装着時に、巻取手段が内蔵された左側ヘッドホンユニット又は右側ヘッドホンユニットが耳殻から離れる接離方向へ回動されている間については、解除機構により巻取阻止状態を解除することなくヘッドホンコードと外部機器との接続状態を保持することができる。
【発明の効果】
【００１２】
本発明によれば、ヘッドホン装置の装着時に、巻取手段が内蔵された左側ヘッドホンユニット又は右側ヘッドホンユニットが耳殻から離れる接離方向へ回動されている間については、解除機構により巻取阻止状態を解除することなくヘッドホンコードと外部機器との接続状態を保持することができ、かくしてユーザの装着時において誤操作が行われた場合であっても、ヘッドホンコードの巻取動作を阻止して、ヘッドホンコードのプラグと外部機器との接続状態を保持し得る従来よりも使い勝手が良く優位性の高いヘッドホン装置を実現することができる。
【発明を実施するための最良の形態】
【００１３】
以下、図面について、本発明の一実施の形態を詳述する。
【００１４】
（１）ヘッドホン装置の全体構成
図２乃至図４において、１０は全体として本発明におけるヘッドホン装置を示し、ユーザの後頭部に沿って装着される略半円状に湾曲されたヘッドバンド１２を有し、そのヘッドバンド１２の両側先端の左側ハンガー部１５及び右側ハンガー部１６を介して左側ヘッドホンユニット１３及び右側ヘッドホンユニット１４が取り付けられている。
【００１５】
この左側ヘッドホンユニット１３及び右側ヘッドホンユニット１４は、ヘッドホン装置１０の外方へ向かってハウジング１３Ａ及び１４Ａが設けられていると共に、当該ヘッドホン装置１の内方へ向かってユーザの耳殻と当接されるイヤーパッド１３Ｂ及び１４Ｂが設けられている。
【００１６】
なお左側ヘッドホンユニット１３（図４（Ｂ））は、そのハウジング１３Ａに対してヘッドホンコード３１が取り付けられており、当該ヘッドホンコード３１の先端にはプラグ３１Ａが設けられている。
【００１７】
ヘッドバンド１２（図４（Ａ））は、支軸１７を介して矢印Ａ及びＢ方向へ折曲自在に連結された左側バンド部材１２Ａ及び右側バンド部材１２Ｂによって構成されている。この左側バンド部材１２Ａ及び右側バンド部材１２Ｂは、ユーザの後頭部に安定された状態で良好なフィット感を持って装着されるよう一定の幅を有し、かつ湾曲状に形成されている。
【００１８】
実際上、図５に示すように、ヘッドバンド１２の左側バンド部材１２Ａ及び右側バンド部材１２Ｂは、支軸１７がヘッドバンド１２のバンド厚さｈの中心から僅かに内側へ外れた位置に設けられている。
【００１９】
このためヘッドバンド１２は、左側バンド部材１２Ａ及び右側バンド部材１２Ｂが矢印Ａ及びＢ方向へは折り曲げられるものの、その逆の装着時展開方向へは装着時状態を超えて展開され得ないようになされている。
【００２０】
一方、左側ハンガー部１５及び右側ハンガー部１６は、装着時、左側ヘッドホンユニット１３及び右側ヘッドホンユニット１４がユーザの耳殻に押し当てられた状態で、そのアーム部分がユーザの耳殻に掛けられたときに良好な装着感を提供できるよう僅かに湾曲されている。
【００２１】
また左側ハンガー部１５及び右側ハンガー部１６は、図４に示したように、ヘッドバンド１２の支軸１７とは９０度直交した捻じれ方向にある２つの支軸１８及び１９を介して当該ヘッドバンド２と回動自在に連結されている。
【００２２】
この左側ハンガー部１５と左側バンド部材１２Ａとの回動状態については、図４（Ｂ）の破線で示す領域ＡＲを拡大した図６を用いて具体的に説明する。
【００２３】
図６に示すように、左側ハンガー部１５と左側バンド部材１２Ａとは、支軸１８を介して矢印Ｃ方向へ回動自在に取り付けられているが、左側バンド部材１２Ａの先端では略Ｕ字の一部を構成する当接部ＴＺが形成されていると共に、その当接部ＴＺと対向する左側ハンガー部１５の所定位置には同様の形状でなる切欠部ＣＫが形成されている。
【００２４】
これにより、左側ハンガー部１５に対して左側バンド部材１２Ａが矢印Ｃ方向とは逆方向へ回動しようとした際、左側バンド部材１２Ａの当接部ＴＺが左側ハンガー部１５の切欠部ＣＫに対しストッパーとして機能することにより、装着時状態を超えてそれ以上回動することがないようになされている。
【００２５】
また左側ハンガー部１５及び左側バンド部材１２Ａは、展開時に、左側ハンガー部１５の当接面Ｍ１と左側バンド部材１２Ａの当接面Ｍ２とが面接触することになるが、その当接面Ｍ１及びＭ２には互いに凹凸形状部（図示せず）が設けられている。
【００２６】
これによりヘッドホン装置１は、左側ハンガー部１５と左側バンド部材１２Ａとの展開時又は回動時に、当接面Ｍ１及びＭ２に設けられた凹凸形状部（図示せず）の弾性力を利用したクリック機構を構築し得るようになされている。
【００２７】
その結果、ヘッドホン装置１では、展開時又は回動時に、左側ハンガー部１５と左側バンド部材１２Ａとがユーザの意思に反して容易に回動し得ないようになされている。
【００２８】
なお左側ハンガー部１５の切欠部ＣＫは、その切欠方向の端部Ｒ形状と、左側バンド部材１２Ａの当接部ＴＺにおけるＲ形状との嵌め合い状態が緩くなるよう設定されている。これによりヘッドホン装置１は、左側ハンガー部１５と左側バンド部材１２Ａとの回動時に、回動途中で引っ掛かりの影響を受け難く滑らかに動き、かつ展開時には当接面Ｍ１及びＭ２の凹凸形状部によるクリック機構によってガタつきが少ない状態で保持される。
【００２９】
かくしてヘッドホン装置１は、図７に示すように、左側バンド部材１２Ａが支軸１８を介して左側ハンガー部１５に対して矢印Ｃ方向へ図中に示す位置まで折り曲げられた折畳状態と、破線で示された装着状態との２形態を取り得るようになされている。
【００３０】
因みに、ここでは左側ハンガー部１５と左側バンド部材１２Ａとの連結状態について説明したが、右側ハンガー部１６と右側バンド部材１２Ｂとの連結状態についても、同様であるため、便宜上その説明は省略する。
【００３１】
なおヘッドバンド１２の左側バンド部材１２Ａ及び右側バンド部材１２Ｂ、左側ハンガー部１５及び右側ハンガー部１６は、例えばポリプロピレン（ＰＰ）や、ポリブチレンテレフタレート（ＰＢＰ）等の合成樹脂等により形成されている。
【００３２】
このような構成のヘッドホン装置１では、実際上、装着状態から折畳状態へ遷移させるため、図８に示すように、左側バンド部材２Ａ及び右側バンド部材２Ｂを、支軸１７を中心として左側ヘッドホンユニット１３のイヤーパッド１３Ｂと右側ヘッドホンユニット１４のイヤーパッド１４Ｂとが対向して接するように矢印Ａ及びＢ方向へ折り曲げる。
【００３３】
次にヘッドホン装置１は、左側ヘッドホンユニット１３のイヤーパッド１３Ｂと右側ヘッドホンユニット１４のイヤーパッド１４Ｂとが対向してその全面が接した状態を保持したまま、左側バンド部材１２Ａ及び右側バンド部材１２Ｂを支軸１８及び１９を介して矢印Ｃ方向へ回動させるだけでよい。
【００３４】
これによりヘッドホン装置１は、左側バンド部材１２Ａ及び右側バンド部材１２Ｂと、左側ハンガー部１５及び右側ハンガー部１６との間に、左側ヘッドホンユニット１３及び右側ヘッドホンユニット１４が包み込まれるかのような形状に折り畳まれた折畳状態になる。
【００３５】
このときヘッドホン装置１は、図９に示すように、左側ヘッドホンユニット１３及び右側ヘッドホンユニット１４が左側バンド部材１２Ａ及び右側バンド部材１２Ｂよりも内側に入り込む状態となるので、見た目にもすっきりしたデザインとなるだけでなく、全体として一段とコンパクトな印象を与えることにもなる。
【００３６】
図１０に示すように、従来のヘッドホン装置１００が折畳状態において、左側ヘッドホンユニット１０１のイヤーパッド１０１Ｂと右側ヘッドホンユニット１０２のイヤーパッド１０２Ｂとが完全に接触した状態にならない場合に比べて、当該ヘッドホン装置１の折畳状態は格段に小さなサイズになっている。
【００３７】
因みにヘッドホン装置１は、左側バンド部材２Ａ及び右側バンド部材２Ｂを、支軸１７を中心として矢印Ａ及びＢ方向へ折り曲げた後、左側バンド部材１２Ａ及び右側バンド部材１２Ｂを支軸１８及び１９を介して矢印Ｃ方向へ回動させることにより、装着状態から折畳状態へ遷移させるようにした。
【００３８】
しかしながら必ずしもこれに限る訳ではなく、ヘッドホン装置１では、左側バンド部材１２Ａ及び右側バンド部材１２Ｂを支軸１８及び１９を介して矢印Ｃ方向へ回動させた後に、左側バンド部材２Ａ及び右側バンド部材２Ｂを、支軸１７を中心として矢印Ａ及びＢ方向へ折り曲げることにより装着状態から折畳状態へ遷移させることもできる。
【００３９】
（２）ヘッドホンコード巻取構造
次に、ヘッドホン装置１の左側ヘッドホンユニット１３に内蔵されたヘッドホンコード３１に対するヘッドホンコード巻取構造について説明する。
【００４０】
（２−１）ヘッドホンコード巻取機構
図１１に示すように、ヘッドホンコード巻取機構４０は左側ヘッドホンユニット１３のハウジング１３Ａの内部に収納され、ヘッドホンコード３１を当該ヘッドンコード巻取機構４０によって巻き取るようになされている。
【００４１】
このヘッドホンコード巻取機構４０は、ハウジング１３Ａ内に固定された基板４１に対して回転軸４２の一端がかしめられた状態で固定され、この回転軸４２に対してリール４３が回転自在に装着されている。
【００４２】
なお、ヘッドホンコード巻取機構４０は、基板４１の下方に収納されているスピーカユニットＳＰＵに対して、ヘッドホンコード３１の一端がリール４３を介して取り付けられている。
【００４３】
またヘッドホンコード巻取機構４０は、回転軸４２及びリール４３に一端及び他端が固定されたぜんまいバネ４４がリール４３の凹部空間４３Ａに収められている。ぜんまいバネ４４は、押え板４５によって飛び出さないように押さえられ、回転軸４２の他端で押え板４５の上からＥリング４２Ａにより抜け止めされている。
【００４４】
これによりヘッドホンコード巻取機構４０は、ヘッドホンコード３１をぜんまいバネ４４の付勢によりリール４３に巻き取り、ハウジング１３Ａの内部に収納し得るようになされている。
【００４５】
（２−２）ヘッドホンコード巻取阻止機構
ところで左側ヘッドホンユニット１３では、ヘッドホンコード３１をハウジング１３Ａの内部に巻き取るためのヘッドホンコード巻取機構４０が収納されているが、このヘッドホンコード巻取機構４０に加えてヘッドホンコード巻取阻止機構についても収納されている。
【００４６】
図１２に示すように、ヘッドホンコード巻取阻止機構５０では、ヘッドホンコード巻取機構４０におけるリール４３（図示せず）の上下のフランジの一方を薄い金属板からなる爪車５１として用いるようになされている。
【００４７】
この爪車５１は、その全周を例えば４等分した位置に、４個の切り込みでなるロック用爪部５１Ａ、５１Ｂ、５１Ｃ及び５１Ｄが形成されている。
【００４８】
またヘッドホンコード巻取阻止機構５０は、爪車５１の外側に配置された軸５２に対して薄い金属板からなる略Ｗ字状の回動アーム５３が軸支されており、当該回動アーム５３の一端に爪車５１のロック用爪部５１Ａ〜５１Ｄの何れかと係合するための係合用爪５３Ａが設けられている。
【００４９】
この回動アーム５３は、その一端がＬ字状に屈曲されたことにより係合用爪５３Ａが形成されており、Ｌ字状の係合用爪５３Ａと爪車５１のロック用爪部５１Ａ〜５１Ｄとだけが係合し、回動アーム５３と爪車５１とは上下の関係で互いに重なり合うことなく配置されている。
【００５０】
また回動アーム５３は、軸５２を介して取り付けられた付勢バネ５５により、係合用爪５３Ａを爪車５１のロック用爪部５１Ａに押圧係合させるべく、当該係合用爪５３Ａを矢印Ｒ２方向へ付勢するようになされている。
【００５１】
この爪車５１のロック用爪部５１Ａ〜５１Ｄと、回動アーム５３の係合用爪５３Ａとの関係は、ヘッドホンコード３１をハウジング１３Ａの内部から引き出す方向すなわち爪車５１が矢印Ｒ３方向へ回転する場合、係合用爪５３Ａがロック用爪部５１Ａ〜５１Ｄと係合することはない。
【００５２】
従ってヘッドホンコード巻取阻止機構５０では、ぜんまいバネ４４（図１１）の付勢力よりも大きな力でヘッドホンコード３１が引っ張られた場合、当該ヘッドホンコード３１がハウジング１３Ａの内部から引き出されることになる。
【００５３】
また、爪車５１のロック用爪部５１Ａ〜５１Ｄと、回動アーム５３の係合用爪５３Ａとの関係は、ヘッドホンコード３１をハウジング１３Ａの内部に巻き取る方向すなわち爪車５１が矢印Ｒ１方向へ回転する場合、係合用爪５３Ａとロック用爪部５１Ａ〜５１Ｄの何れかとが係合してロックするため、ヘッドホンコード３１がハウジング１３Ａの内部へ巻き取られてしまうことを阻止する。
【００５４】
すなわちヘッドホンコード巻取阻止機構５０では、爪車５１のロック用爪部５１Ａ〜５１Ｄと、回動アーム５３の係合用爪５３Ａとによって所謂ラチェット手段を構成し、ヘッドホンコード３１の巻取りについては阻止すると共にヘッドホンコード３１のハウジング１３Ａからの引き出しについては許容し得るようになされている。
【００５５】
このようにヘッドホンコード巻取阻止機構５０は、爪車５１のロック用爪部５１Ａ〜５１Ｄ、回動アーム５３の係合用爪５３Ａ、及び付勢バネ５５によって構成され、ヘッドホンコード３１が引き出されたとき、ロック用爪部５１Ａ〜５１Ｄの何れかと係合用爪５３Ａとが係合することにより、ヘッドホンコード３１をハウジング１３Ａの内部に収納されることを阻止し得るようになされている。
【００５６】
（２−３）ヘッドホンコード巻取阻止状態解除機構
次に、図１２に示したようなヘッドホンコード巻取阻止機構５０によるヘッドホンコード３１の巻取阻止状態を解除するために設けられた、図１３に示すようなヘッドホンコード巻取阻止状態解除機構６０について説明する。
【００５７】
ヘッドホンコード巻取阻止状態解除機構６０は、回動アーム５３の他端に設けられた解除片５３Ｂが付勢バネ５５の付勢力に抗して押下操作されたとき、爪車５１のロック用爪部５１Ａと回動アーム５３の係合用爪５３Ａとの係合状態すなわち巻取阻止状態を解除し、ぜんまいバネ４４（図１１）の付勢力によりヘッドホンコード３１をハウジング１３Ａの内部に巻き取るようになされている。
【００５８】
因みに回動アーム５３は、係合用爪５３Ａと同様に、その一端がＬ字状に屈曲されたことにより解除片５３Ｂが形成されている。
【００５９】
このヘッドホンコード巻取阻止状態解除機構６０では、解除片５３Ｂと当接可能な位置に板バネ構造の解除規制発条板６１が設けられており、当該解除規制発条板６１に対して巻取ボタン６２が一体に取り付けられている。
【００６０】
この解除規制発条板６１は、爪車５１に沿った湾曲状に形成されており、回動アーム５３側の一端が固定され、左側ハンガー部１５側の他端が固定されていない状態とされている。
【００６１】
ヘッドホンコード巻取阻止状態解除機構６０は、ヘッドホンコード３１がハウジング１３Ａの内部から引っ張り出されている状態で、ユーザにより巻取ボタン６２が内方へ押下操作されると、解除規制発条板６１を介して回動アーム５３の解除片５３Ｂが付勢バネ５５の付勢力に抗して押し下げられると共に、係合用爪５３Ａが爪車５１から離れる方向へ持ち上げられる。
【００６２】
このときヘッドホンコード巻取阻止状態解除機構６０では、爪車５１のロック用爪部５１Ａと回動アーム５３の係合用爪５３Ａとの係合状態すなわち巻取阻止状態を解除することになるため、ぜんまいバネ４４の付勢力によりヘッドホンコード３１をハウジング１３Ａの内部に高速度で巻き取るようになされている。
【００６３】
すなわちヘッドホンコード巻取阻止状態解除機構６０は、巻取ボタン６２、解除規制発条板６１、回動アームの解除片５３Ｂによって構成され、ヘッドホンコード３１が引き出された状態で巻取ボタン６２が押下操作されると、解除規制発条板６１を介して回動アーム５３の解除片５３Ｂが付勢バネ５５の付勢力に抗して押し下げる。
【００６４】
これによりヘッドホンコード巻取阻止状態解除機構６０は、爪車５１のロック用爪部５１Ａと回動アーム５３の係合用爪５３Ａとの係合状態を解除することになり、ぜんまいバネ４４の付勢力によりヘッドホンコード３１をハウジング１３Ａの内部に巻き取り得るようになされている。
【００６５】
（２−４）巻取阻止状態解除制限機構
ところでヘッドホン巻取阻止状態解除機構６０では、ヘッドホン装置１がユーザの頭部に装着された状態のリスニング中、当該ユーザにより誤って巻取ボタン６２が押下操作されたときにヘッドホンコード３１が巻き取られてしまうことは望ましいことではない。
【００６６】
そこでヘッドホン装置１では、図１４（Ａ）及び（Ｂ）に示すように、当該ヘッドホン装置１の使用時すなわち後頭部に対する装着時については、ヘッドホンコード巻取阻止状態解除機構６０（図１３）による動作を制限する巻取阻止状態解除制限機構７０が設けられている。
【００６７】
この巻取阻止状態解除制限機構７０は、ヘッドホンコード巻取阻止状態解除機構６０（図１３）における解除規制発条板６１と、左側ヘッドホンユニット１３の左側ハンガー部１５の付根部１５Ａに設けられた孔６２とによって、その機能が構築されるようになされている。
【００６８】
すなわち巻取阻止状態解除制限機構７０は、当該ヘッドホン装置１がユーザの頭部に装着されている装着時にあっては、巻取ボタン６２が押下操作された場合でも、解除規制発条板６１が回動アーム５３の解除片５３Ｂ（図１３）を押し下げる動作を予め規制するようになされている。
【００６９】
実際上、図１５に示すように、ヘッドホン装置１は、左側ヘッドホンユニット１３及び右側ヘッドホンユニット１４が左側ハンガー部１５及び右側ハンガー部１６に対し、蝶番の軸７１Ｌ及び７１Ｒを介して連結されており、蝶番の軸７１Ｌ及び７１Ｒを介して左側ヘッドホンユニット１３及び右側ヘッドホンユニット１４が耳殻へ近付く又は離れる接離方向へ自在に回動し得るようになされている。
【００７０】
ここでヘッドホン装置１は、未装着時、蝶番の軸７１Ｌ及び７１Ｒに取り付けられたコイルバネ（図示）により、左側ヘッドホンユニット１３及び右側ヘッドホンユニット１４がユーザの耳殻に近付く方向へ常時付勢されている。
【００７１】
従ってヘッドホン装置１が頭部に装着されている装着時については、左側ヘッドホンユニット１３及び右側ヘッドホンユニット１４が左側ハンガー部１５及び右側ハンガー部１６の付根部１５Ａ及び１６Ａに設けられた蝶番の軸７１Ｌ及び７１Ｒを介して、未装着時（破線で示す）よりも外方へ押し広げられた状態となる。
【００７２】
ところで図１４（Ａ）に示したように巻取阻止状態解除制限機構７０は、左側ヘッドホンユニット１３が未装着時の状態であれば、巻取ボタン６２と一体化された解除規制発条板６１の先端が、当該先端と対応し左側ハンガー部１５の付根部１５Ａの側面に設けられた孔６２に挿入され得るようになされている。
【００７３】
すなわち巻取阻止状態解除制限機構７０は、左側ヘッドホンユニット１３が未装着時の状態で、巻取ボタン６２が押下操作された場合、当該巻取ボタン６２と一体化された解除規制発条板６１の先端が左側ハンガー部１５の付根部１５Ａの側面に設けられた孔６２に挿入される。
【００７４】
このとき巻取阻止状態解除制限機構７０は、解除規制発条板６１を介して回動アーム５３の解除片５３Ｂ（図１３）を押し下げ、その結果、爪車５１のロック用爪部５１Ａと回動アーム５３の係合用爪５３Ａとの係合状態を解除することになる。
【００７５】
一方、図１４（Ｂ）に示したように巻取阻止状態解除制限機構７０は、左側ヘッドホンユニット１３が装着時の状態であれば、左側ハンガー部１５が蝶番７１を介して矢印Ｄ方向へ回動し、巻取ボタン６２と一体化された解除規制発条板６１の先端が、左側ハンガー部１５の付根部１５Ａの側面に設けられた孔６２に挿入されなくなるようになされている。
【００７６】
つまり巻取阻止状態解除制限機構７０は、左側ヘッドホンユニット１３が装着時のときは、左側ハンガー部１５が蝶番７１を介して矢印Ｄ方向へ回動されることになるため、解除規制発条板６１の先端と、左側ハンガー部１５の付根部１５Ａの側面に設けられた孔６２との位置関係がずれ、挿入されなくなる。
【００７７】
このことは巻取阻止状態解除制限機構７０において、巻取ボタン６２及び解除規制発条板６１を介して回動アーム５３の解除片５３Ｂを押し下げることが出来なくなることを意味し、その結果、爪車５１のロック用爪部５１Ａと回動アーム５３の係合用爪５３Ａとの係合状態が解除されることもなく、ヘッドホンコード３１はそのまま巻き取られずに済むようになされている。
【００７８】
すなわちヘッドホン装置１は、未装着時であれば、ヘッドホンコード巻取阻止状態解除機構６０により、ユーザの巻取ボタン６２に対する押下操作に応じてヘッドホンコード３１をハウジング１３Ａの内部に巻き取ることができるようになされている一方、装着時であれば巻取阻止状態解除制限機構７０により巻取ボタン６２が押下操作された場合であっても、ヘッドホンコード３１の巻取動作を行わないようになされている。
【００７９】
（３）イヤーパッドの構造
ところでヘッドホン装置１の左側ヘッドホンユニット１３及び右側ヘッドホンユニット１４のイヤーパッド１３Ｂ及び１４Ｂについては、従来にない工夫がなされており、その点について次に説明するが、ここでは便宜上、左側ヘッドホンユニット１３のイヤーパッド１３Ｂについてのみ説明する。
【００８０】
イヤーパッド１３Ｂは、図１６（Ａ）及び（Ｂ）に示すパッドカバー９０と、図１７に示すようなパッドカバー９０によって被覆される内部スポンジ９５とによって構成されている。この内部スポンジ９５は、低反撥ウレタンフォームでなり、パッドカバー９０の内部に収納される。
【００８１】
パッドカバー９０は、ユーザの耳殻に当接される前面側に伸縮可能で通気性及び通音性の高いニットでなる布地９１（図１６（Ａ））が配置され、スピーカユニットＳＰＵを包み込む背面側に連続気泡処理が施されたドーナッツ形状のエステル系ポリウレタンフォームでなるカバースポンジ９２（図１６（Ｂ））が配置され、布地９１とカバースポンジ９２とが互いの外周側縁部で熱溶着された構成を有する。
【００８２】
一方、内部スポンジ９５は、連続気泡処理が施されていないドーナッツ形状の低反撥ウレタンフォームでなり、カバースポンジ９２の内部に収納されるため、当該カバースポンジ９２よりも僅かに小さなサイズに形成されている。
【００８３】
この内部スポンジ９５に素材として採用されている低反撥ウレタンフォームは、ＮＡＳＡのスペースシャトルのシートに使われており、宇宙飛行士にとって過酷な大重圧・振動・長時間にわたる着座作業を軽減するために開発され、荷重分散と低反撥という特徴を持つものである。
【００８４】
通常の家具で使われているウレタンフォームは、密度が約１５〜３０ｋｇ／ｍ３であるのに対し、低反撥ウレタンフォームは、通常のウレタンフォームの約２〜３倍に相当する約６５ｋｇ／ｍ３もの密度がある。なお低反撥であるか否かの基準は、反撥弾性が約４０ｋｇ／ｍ３以上の密度で２０％以下のものをいう。
【００８５】
一般的に低反撥ウレタンフォームは、一般のウレタンフォームとの密度の違いにより、外部からの圧力に対してゆっくり変形し、ゆっくり戻る特徴と、荷重を分散し、底づきし難く圧迫感のない心地良い感触が得られる特徴と、いつまでもヘタリの少ない状態で使用することができるという特徴とを有している。
【００８６】
内部スポンジ９５に使用される低反撥ウレタンフォームとしては、図１８に示すようなバウンドレス性を有するクッション用ポリウレタンフォームであって、反撥弾性が非常に小さく、クッション材として使用した場合に体圧が均等に分散されて長時間の使用であっても疲れを感じさせ難いうえ、衝撃吸収性が大きく、硬さの温度依存性があるため、温度が低いと硬く、温度が高いと柔らかくなるという特徴がある。
【００８７】
イヤーパッド３は、図１９に示すように、ドーナッツ形状の穴が開けられたパッドカバー９０（カバースポンジ９２）に対して、ほぼ同じサイズでなるドーナッツ形状の穴が空けられた内部スポンジ９５が収納された状態で構成され、パッドカバー９０のカバースポンジ９２がハウジング１３Ａのフランジ形状でなる下側保持部９７Ｂの鍔部に引っ掛けられるようにして取り付けられる。
【００８８】
ところでイヤーパッド１３Ｂのパッドカバー９０に用いられているカバースポンジ９２は、上述したように連続気泡処理が施された素材であるため、スピーカユニットＳＰＵの放音部ＳＰＵＡから出力される音声を通すことができるが、低反撥ウレタンフォームでなる内部スポンジ９５は連続気泡処理が施されていない素材であるため、スピーカユニットＳＰＵの放音部ＳＰＵＡから出力される音声を通すことができない。
【００８９】
しかしながらイヤーパッド１３Ｂでは、ドーナッツ形状の穴が開けられたパッドカバー９０のカバースポンジ９２に対して、ほぼ同じサイズでなるドーナッツ形状の穴が空けられた内部スポンジ９５が収納された構造であるため、スピーカユニットＳＰＵの放音部ＳＰＵＡから出力される音声をドーナッツ形状の２つの穴及びニットの布地９１を介して通過させ、ユーザの耳に到達させ得るようになされている。
【００９０】
またイヤーパッド１３Ｂは、内部スポンジ９５に低反撥ウレタンフォームが用いられると共に、その内部スポンジ９５と当接し、かつユーザの耳殻に押し当てられる布地９１に対してニットの素材が用いられるようにしたことにより、内部スポンジ９５に対して与えられる外部からの圧力に対してゆっくり変形し、ゆっくり戻る特徴を、薄い柔らかなニットの布地９１を介してユーザへダイレクトに伝えられるようになされている。
【００９１】
これによりヘッドホン装置１は、イヤーパッド１３Ｂが付けられた左側ヘッドホンユニット１３がユーザに装着されたとき、小さな側圧しか期待できない状態であるにも拘わらず、イヤーパッド１３Ｂの内部スポンジ９５及び布地９１を介して、ユーザ毎に個人差を有する耳殻の形状差を吸収し、誰に対しても一段と快適な装着感及び装着安定性を提供し得るようになされている。
【００９２】
また左側ヘッドホンユニット１３は、イヤーパッド１３Ｂに用いられた低反撥ウレタンフォームの内部スポンジ９５が外部の圧力に対してゆっくり変形し、ゆっくり戻る特徴を有し、当該内部スポンジ９５が耳殻の個人差により異なる凹凸形状にそれぞれ追従して密着することになるため、耳殻とイヤーパッド１３Ｂとの隙間を従来に比して一段と塞ぐことができ、かくしてイヤーパッド１３Ｂの前面側からの不要な音漏れを防止し得るようになされている。
【００９３】
（４）動作及び効果
以上の構成において、ヘッドホン装置１は、未装着時であれば、巻取ボタン６２が押下操作されたとき、当該巻取ボタン６２と一体化された解除規制発条板６１の先端が左側ハンガー部１５の付根部分の側面に設けられた孔６２に挿入されるため（図１４（Ａ））、当該解除規制発条板６１を介して回動アーム５３の解除片５３Ｂを押し下げることになる。
【００９４】
その結果、ヘッドホン装置１は、解除片５３Ｂが押し下げられたことに応じて、爪車５１のロック用爪部５１Ａと回動アーム５３の係合用爪５３Ａとの係合状態を解除し、ぜんまいバネ４４の付勢力によりヘッドホンコード３１をハウジング１３Ａの内部に高速度で巻き取ることができる。
【００９５】
一方ヘッドホン装置１は、左側ハンガー部１５がユーザの耳殻に掛けられ、かつヘッドバンド１２が後頭部に沿って配置された装着時であれば、左側ハンガー部１５が蝶番の軸７１Ｌを介して矢印Ｄ方向（図１１、図１４）へ回動されたままの状態となり、巻取ボタン６２と一体化された解除規制発条板６１の先端が左側ハンガー部１５の付根部１５Ａの側面に設けられた孔６２に対して挿入されなくなる（図１４（Ｂ））。
【００９６】
その結果、ヘッドホン装置１は、巻取ボタン６２及び解除規制発条板６１を介して回動アーム５３の解除片５３Ｂを押し下げることが出来なくなるため、爪車５１のロック用爪部５１Ａと回動アーム５３の係合用爪５３Ａとの係合状態を解除することが出来ず、ヘッドホンコード３１を巻き取ることがない。
【００９７】
これによりヘッドホン装置１は、装着時のリスニング中に、誤って巻取ボタン６２が押下操作された場合であっても、ヘッドホンコード３１の巻取動作を実行することがないので、ユーザに対し安心して音楽を継続して楽しむ環境を提供することができる。
【００９８】
またヘッドホン装置１は、左側ハンガー部１５及び右側ハンガー部１６を支軸１８及び１９で折り曲げ、かつヘッドバンド１２を支軸１７で折り曲げることにより、図９に示したように、左側ヘッドホンユニット１３及び右側ヘッドホンユニット１４をヘッドバンド１２の左側バンド部材１２Ａ及び右側バンド部材１２Ｂの内側に収められる位に小さく折り畳み、格段的に小型化することができる。
【００９９】
ヘッドホン装置１は、このような折畳状態であっても、巻取ボタン６２に対する押下操作に応じて、解除片５３Ｂを押し下げ、爪車５１のロック用爪部５１Ａと回動アーム５３の係合用爪５３Ａとの係合状態を解除することができるので、ヘッドホンコード３１をハウジング１３Ａの内部に高速度で巻き取ることができる。
【０１００】
さらにヘッドホン装置１は、左側ヘッドホンユニット１３のイヤーパッド１３Ｂの内部スポンジ９５に低反撥ウレタンフォームが素材として用いられていると共に、その内部スポンジ９５と当接し、かつユーザの耳殻に押し当てられる布地９１に対して薄い柔らかなニットが素材として用いられている。
【０１０１】
これによりヘッドホン装置１は、内部スポンジ９５に対して与えられる耳殻からの側圧に対して、耳殻の形状に合わせて内部スポンジ９５をゆっくり変形させ、ゆっくり戻るように追従させることができる。
【０１０２】
かくしてヘッドホン装置１は、左側ヘッドホンユニット１３がユーザに装着されたとき、内部スポンジ９５及びニットの布地９１を介して、イヤーパッド１３Ｂをユーザの耳殻の形状に合わせるように追従させることができるので、十分な密着感と共に音漏れを防止しつつ、一段と快適な装着感を提供することができる。
【０１０３】
なお左側ヘッドホンユニット１３は、通気性に優れたニットの布地９１からなるパッドカバー９０が用いられているため、十分な密着感及び音漏れを防止しながらも、使用時の蒸れを防止し、快適さをも提供することができる。
【０１０４】
以上の構成によれば、ヘッドホン装置１は、未装着時にはヘッドホンコード３１を巻き取ることが出来る一方、装着時には、誤って巻取ボタン６２が押下操作された場合であっても、ヘッドホンコード３１を巻き取ることがなく、ヘッドホンコード３１のプラグ３１Ａと外部機器との接続状態を保持し、従来よりも格段と使い勝手を向上することができる。
【０１０５】
（５）他の実施の形態
なお上述の実施の形態においては、左側ヘッドホンユニット１３に対してヘッドホンコード３１が取り付けられている場合について述べたが、本発明はこれに限らず、右側ヘッドホンユニット１４に対してヘッドホンコード３１が取り付けられていても良い。この場合、本実施の形態とは全く逆の構成となる。
【０１０６】
また上述の実施の形態においては、後頭部を通過するタイプのヘッドバンド１２が用いられたヘッドホン装置１を適用するようにした場合について述べたが、本発明はこれに限らず、ユーザの頭上を通過するタイプのヘッドバンドや、ユーザの顎の下を通過するタイプのヘッドバンドが用いられたヘッドホン装置を適用するようにしても良い。
【０１０７】
さらに上述の実施の形態においては、ヘッドバンド１２の左側バンド部材１２Ａ及び右側バンド部材１２Ｂ、左側ハンガー部１５及び右側ハンガー部１６に対し、ポリプロピレン（ＰＰ）や、ポリブチレンテレフタレート（ＰＢＰ）等の合成樹脂からなる弾性体を材料として用いるようにした場合について述べたが、本発明はこれに限らず、必ずしも合成樹脂からなる弾性体だけでなく、耐食性を有する金属材料や、金属製でありながら弾性力を有する材料によってヘッドバンド１２の左側バンド部材１２Ａ及び右側バンド部材１２Ｂ、左側ハンガー部１５及び右側ハンガー部１６を形成するようにしても良い。
【０１０８】
さらに上述の実施の形態においては、パッドカバー９０とスポンジ９５とが熱溶着された構造のイヤーパッド１３Ｂを用いるようにした場合について述べたが、本発明はこれに限らず、パッドカバー９０とスポンジ９５とが最初から一体化された構造のイヤーパッド１３Ｂを用いるようにしたり、パッドカバー９０の中にスポンジ９５を収納させるだけで熱溶着しないのであれば、エステル系ポリウレタンフォームでなるカバースポンジを用いるようにしても良い。
【０１０９】
さらに上述の実施の形態においては、パッドカバー９０の背面側にエステル系ポリウレタンフォームでなるカバースポンジ９２を用いるようにした場合について述べたが、本発明はこれに限らず、パッドカバー９０の前面側と同様にニット製の布地９１を用いたり、内部スポンジ９５と同じ素材でなる低反撥ウレタンフォームでなるカバースポンジ９２を用いるようにしても良い。
【０１１０】
さらに上述の実施の形態においては、イヤーパッド１３Ｂのパッドカバー９０の素材として布地９１を用いるようにした場合について述べたが、本発明はこれに限らず、布状でなるポリエステル樹脂やポリウレタン樹脂等のその他種々の合成樹脂繊維系素材や、紙材を布地９１の代わりに用いるようにしても良い。
【０１１１】
さらに上述の実施の形態においては、ヘッドホンユニットとしての左側ヘッドホンユニット１３及び右側ヘッドホンユニット１４、連結手段としての左側ハンガー部１５の付根部１５Ａ及び右側ハンガー部１６の付根部１６Ａ、付勢手段としての蝶番の軸７１に取り付けられたコイルバネ、ヘッドホンコードとしてのヘッドホンコード３１、巻取手段としてのヘッドホンコード巻取機構４０、ヘッドホンコード巻取阻止手段としてのヘッドホンコード巻取阻止機構５０、解除機構としてのヘッドホンコード巻取阻止状態解除機構６０を有する解除制限手段としての巻取阻止状態解除制限機構７０によって本発明のヘッドホン装置としてのヘッドホン装置１を構成するようにした場合について述べたが、その他種々の構造でなるヘッドホンユニット、連結手段、付勢手段、ヘッドホンコード、巻取手段、ヘッドホンコード巻取阻止手段及び解除制限手段によって本発明のヘッドホン装置を構成するようにしても良い。
【産業上の利用可能性】
【０１１２】
本発明のヘッドホン装置は、携帯型音楽プレーヤに接続して用いられる他、例えば携帯電話機やＰＤＡ(Personal Digital Assistant)、ノートブック型パーソナルコンピュータ等のその他種々の電子機器に接続して用いられるヘッドホン装置に適用することができる。
【図面の簡単な説明】
【０１１３】
【図１】従来のバンド後頭部通過型ステレオヘッドホンの構成を示す略線図である。
【図２】本発明におけるヘッドホン装置の外観構成（１）を示す略線的斜視図である。
【図３】本発明におけるヘッドホン装置の外観構成（２）を示す略線的斜視図である。
【図４】本発明におけるヘッドホン装置の外観構成（３）を示す略線的斜視図である。
【図５】ヘッドバンドの屈曲状態を示す略線図である。
【図６】左側ハンガー部とバンド部材との回動状態の説明に供する略線図である。
【図７】ハンガー折曲状態の説明に供する略線図である。
【図８】装着状態と折畳状態の説明に供する略線図である。
【図９】本発明におけるヘッドホン装置１の折畳状態の外観構成を示す略線的斜視図である。
【図１０】従来のヘッドホン装置の折畳状態の外観構成を示す略線的斜視図である。
【図１１】ヘッドホンコード巻取機構の断面構造を示す略線図である。
【図１２】ヘッドホンコード巻取阻止機構の構造を示す略線図である。
【図１３】ヘッドホンコード巻取阻止状態解除機構の構造（２）を示す略線図である。
【図１４】巻取阻止状態解除制御機構の構造を示す略線的斜視図である。
【図１５】装着時にヘッドホンユニットが押し広げられている様子を示す略線図である。
【図１６】イヤーパッドのパッドカバーの構成を示す略線的斜視図である。
【図１７】イヤーパッドの内部スポンジ（低反撥ウレタンフォーム）の構成を示す略線的斜視図である。
【図１８】バウンドレス性の説明に供する略線図である。
【図１９】イヤーパッドの断面構造を示す略線図である。
【符号の説明】
【０１１４】
１、１０、１００……ヘッドホン装置、２、１３、１０１……左側ヘッドホンユニット、３、１４、１０２……右側ヘッドホンユニット、４……バンド部、１２……ヘッドバンド、１５……左側ハンガー部、１６……右側ハンガー部、１７、１８、１９……支軸、３１……ヘッドホンコード、３１Ａ……プラグ、４０……ヘッドホンコード巻取機構、４１……基板、４２……回転軸、４３……リール、４４……ぜんまいバネ、４５……押え板、５０……ヘッドホンコード巻取阻止機構、５１……爪車、５１Ａ〜５１Ｄ……ロック用爪部、５２、７１……軸、５３……回動アーム、５３Ａ……係合用爪、５３Ｂ……解除片、５５……付勢バネ、６０……ヘッドホンコード巻取阻止状態解除機構、６１……解除規制発条板、６２……巻取ボタン、７０……巻取阻止状態解除制限機構、９０……パッドカバー、９１……布地、９２……カバースポンジ、９５……内部スポンジ、ＳＰＵ……スピーカユニット。
【図１】
2009055251.tif 000003
【図２】
2009055251.tif 000004
【図３】
2009055251.tif 000005
【図４】
2009055251.tif 000006
【図５】
2009055251.tif 000007
【図６】
2009055251.tif 000008
【図７】
2009055251.tif 000009
【図８】
2009055251.tif 000010
【図９】
2009055251.tif 000011
【図１０】
2009055251.tif 000012
【図１１】
2009055251.tif 000013
【図１２】
2009055251.tif 000014
【図１３】
2009055251.tif 000015
【図１４】
2009055251.tif 000016
【図１５】
2009055251.tif 000017
【図１６】
2009055251.tif 000018
【図１７】
2009055251.tif 000019
【図１８】
2009055251.tif 000020
【図１９】
2009055251.tif 000021